(57)【特許請求の範囲】
【請求項１】
ＵＳＢ周辺装置に設けられた給電機能を有する第１のＵＳＢレセプタクルに、電力線を介して直接的または間接的に接続される第１のＵＳＢプラグと、
前記ＵＳＢ周辺装置に設けられた前記給電機能を有しない第２のＵＳＢレセプタクルに、データ線を介して直接的または間接的に接続される第２のＵＳＢプラグと、
前記電力線を介して前記第１のＵＳＢプラグに接続され、前記データ線を介して前記第２のＵＳＢプラグに接続され、かつ、無線通信装置の有する通信側ＵＳＢプラグに直接的または間接的に接続される第３のＵＳＢレセプタクルと、
前記ＵＳＢ周辺装置から供給される電力を前記無線通信装置に供給するための前記電力線と、
前記無線通信装置と前記ＵＳＢ周辺装置との間の情報転送を行うための前記データ線と、
を含み、
前記第１のＵＳＢレセプタクルと前記第３のＵＳＢレセプタクルとの、プラグと接続するための接続形状が異なるとともに、前記第１のＵＳＢプラグと前記無線通信装置が有する通信側ＵＳＢプラグとの、レセプタクルと接続するための接続形状が異なり、
前記第２のＵＳＢレセプタクルと前記第３のレセプタクルとの、プラグと接続するための接続形状及び配線規格が同一であるとともに、前記第２のＵＳＢプラグと前記通信側ＵＳＢプラグとの、レセプタクルと接続するための接続形状及び配線規格が同一であり、
前記電力線が、前記第１のＵＳＢプラグと前記第３のＵＳＢレセプタクルとを前記配線規格に基づいて接続する、ＵＳＢアダプター。
【請求項２】
画像情報を受信する無線通信装置と、ＵＳＢアダプターと、当該ＵＳＢアダプターを介して前記無線通信装置からの前記画像情報に基づく画像を表示する画像表示装置と、を含む画像表示システムであって、
前記ＵＳＢアダプターは、
前記画像表示装置に設けられた給電機能を有する第１のＵＳＢレセプタクルに、電力線を介して直接的または間接的に接続される第１のＵＳＢプラグと、
前記画像表示装置に設けられた前記給電機能を有しない第２のＵＳＢレセプタクルに、
データ線を介して直接的または間接的に接続される第２のＵＳＢプラグと、
前記電力線を介して前記第１のＵＳＢプラグに接続され、前記データ線を介して前記第２のＵＳＢプラグに接続され、かつ、前記無線通信装置の有する通信側ＵＳＢプラグに直接的または間接的に接続される第３のＵＳＢレセプタクルと、
前記画像表示装置から供給される電力を前記無線通信装置に供給するための前記電力線と、
前記無線通信装置と前記画像表示装置との間の情報転送を行うための前記データ線と、
を含み、
前記第１のＵＳＢレセプタクルと前記第３のＵＳＢレセプタクルとの、プラグと接続するための接続形状が異なるとともに、前記第１のＵＳＢプラグと前記無線通信装置が有する通信側ＵＳＢプラグとの、レセプタクルと接続するための接続形状が異なり、
前記第２のＵＳＢレセプタクルと前記第３のレセプタクルとの、プラグと接続するための接続形状及び配線規格が同一であるとともに、前記第２のＵＳＢプラグと前記通信側ＵＳＢプラグとの、レセプタクルと接続するための接続形状及び配線規格が同一であり、
前記電力線が、前記第１のＵＳＢプラグと前記第３のＵＳＢレセプタクルとを前記配線規格に基づいて接続し、
前記画像表示装置は、
前記第１のＵＳＢレセプタクルと、
前記第２のＵＳＢレセプタクルと、
前記第２のＵＳＢレセプタクルを介して入力される前記画像情報に基づく画像を表示する画像表示部と、
を含む、
画像表示システム。
【請求項３】
請求項２に記載の画像表示システムにおいて、
前記無線通信装置は、
前記画像情報を受信する無線通信部と、
前記通信側ＵＳＢプラグと、
ＵＳＢホスト機能またはＵＳＢデバイス機能を有効に設定可能なＵＳＢ機能判別部と、
を含み、
前記ＵＳＢ機能判別部は、前記ＵＳＢホスト機能または前記ＵＳＢデバイス機能のどちらを有効化させるかを設定する設定データを記憶する不揮発性メモリーを有し、前記設定データを更新することにより、前記ＵＳＢホスト機能または前記ＵＳＢデバイス機能を有効化する、
画像表示システム。 
【請求項４】
請求項２に記載の画像表示システムにおいて、
前記無線通信装置は、
前記画像情報を受信する無線通信部と、
前記通信側ＵＳＢプラグと、
ＵＳＢホスト機能またはＵＳＢデバイス機能を有効に設定可能なＵＳＢ機能判別部と、
を含み、
前記ＵＳＢ機能判別部は、前記通信側ＵＳＢプラグに入力される電気信号に基づき、前記ＵＳＢホスト機能または前記ＵＳＢデバイス機能を有効化する、
画像表示システム。
【請求項５】
請求項２に記載の画像表示システムにおいて、
前記ＵＳＢアダプターは、前記無線通信装置と嵌合する第１の嵌合部を含み、
前記無線通信装置は、
前記第１の嵌合部と嵌合する第２の嵌合部と、
前記画像情報を受信する無線通信部と、
前記通信側ＵＳＢプラグと、
ＵＳＢホスト機能またはＵＳＢデバイス機能を有効に設定可能なＵＳＢ機能判別部と、
を含み、
前記ＵＳＢ機能判別部は、前記第１の嵌合部と前記第２の嵌合部との嵌合状態に基づき、前記ＵＳＢホスト機能または前記ＵＳＢデバイス機能を有効化する、
画像表示システム。
【請求項６】
請求項３〜５のいずれかに記載の画像表示システムにおいて、
前記画像情報を生成する画像情報生成部と、前記ＵＳＢデバイス機能が有効化された前記無線通信装置に接続される第４のＵＳＢレセプタクルとを有するＵＳＢホスト装置と、
前記ＵＳＢデバイス機能が有効化された前記無線通信装置と、
前記ＵＳＢホスト機能が有効化された前記無線通信装置と、
前記第３のＵＳＢレセプタクルが、前記ＵＳＢホスト機能が有効化された前記無線通信装置に接続される前記ＵＳＢアダプターと、
前記画像表示装置と、
を含む、
画像表示システム。
【請求項７】
請求項２〜６のいずれかに記載の画像表示システムにおいて、
前記画像表示装置は、前記画像情報に基づく画像を、投写することによって表示するプロジェクターである、
画像表示システム。
【発明の詳細な説明】
【技術分野】
【０００１】
本発明は、無線通信装置に接続されるＵＳＢアダプター、画像表示システムおよび無線通信方法に関する。
【背景技術】
【０００２】
一般的に、テレビやプロジェクター等の画像表示装置は、ＤＶＤプレーヤーやＰＣ（Personal Computer）等の画像供給装置とＨＤＭＩケーブル、ＲＧＢケーブル、ＵＳＢケーブル等の情報伝送ケーブルによって有線接続された状態で、画像供給装置からの画像情報を用いて画像を表示することができる。しかし、有線接続は、情報伝送ケーブルが邪魔になったり、使用可能な情報伝送ケーブルの長さに制限があったりすることにより、画像表示装置および画像供給装置の設置の自由度が制限されていた。このため、これまでに無線ＬＡＮ、ワイヤレスＵＳＢ（Universal Serial Bus）等を用いた無線による画像情報の送受信を行う方法が提案されてきた。例えば、特開２００９−２９５０２２号公報では、ワイヤレスＵＳＢ機能を付加することを目的として、ホストコネクター、デバイスコネクター、充電池、ワイヤレス通信部等を有する無線アダプターを用いる手法が提案されている。一般的には、ＵＳＢの規格においては、ＵＳＢホスト装置からＵＳＢデバイス装置に対して電力を供給する仕様となっているため、ＵＳＢデバイス装置に装着される側の無線アダプターへの給電ができない。このため、特開２００９−２９５０２２号公報の無線アダプターは、充電池および充電機構を有している。
【先行技術文献】
【特許文献】
【０００３】
【特許文献１】特開２００９−２９５０２２号公報
【発明の概要】
【発明が解決しようとする課題】
【０００４】
しかし、特開２００９−２９５０２２号公報の手法の場合、無線アダプターをＵＳＢホスト装置であるＰＣに接続して充電が完了した後に、当該無線アダプターをＵＳＢデバイス装置であるハードディスクドライブに接続して使用する必要がある。これは、ＵＳＢインターフェイスは非対称であり、給電の向きがＵＳＢホスト装置からＵＳＢデバイス装置への一方向であるからである。このため、上記手法は、長期間運用されるプロジェクターや、手の届かない場所（例えば、天井等）に設置されるプロジェクター等には向いていない。
【０００５】
また、このような無線アダプター用に専用のＡＣ電源アダプターを用いる手法も考えられるが、画像表示装置に給電を行うためのコンセント（差し込み口）に加え、当該ＡＣ電源アダプターに給電を行うためのコンセントが必要になるといった設置コストの増加のデメリットがある。さらに、ＵＳＢインターフェイスの非対称性に合わせて、ＵＳＢホスト装置用の無線アダプターと、ＵＳＢデバイス装置用の無線アダプターを用いる手法も考えられるが、当該手法は認可手続の点から好ましくない。すなわち、一般に電波は公共の資源であるため、世界のほとんどの国や地域においては、無線通信装置の利用に法認可手続が必要である。このような法認可手続には正規の試験設備を有する認証機関における試験を必要とするため、試験費用が高額になることが多い。このため、ＵＳＢホスト装置用の無線アダプターと、ＵＳＢデバイス装置用の無線アダプターを用いる手法の場合、それぞれで法認可手続を行う必要があり、法認可手続のコスト増加のデメリットがある。
【０００６】
本発明にかかるいくつかの態様は、上記課題を解決することにより、無線通信装置を用いてＵＳＢインターフェイスを介して画像情報の送受信を行って画像を表示する場合等において、充電池やＡＣ電源アダプターを用いない無線通信装置を用いることが可能なＵＳＢアダプター、画像表示システムおよび無線通信方法を提供することにある。また、本発明にかかるいくつかの態様は、上記課題を解決することにより、ＵＳＢホスト装置とＵＳＢデバイス装置間を、一般的なＵＳＢケーブルを用いて有線接続する場合と、無線通信装置を用いて無線接続する場合とにおいて、ＵＳＢホスト装置およびＵＳＢデバイス装置の設計を変えることなく、ＵＳＢケーブルによる有線接続および無線通信装置による無線接続を選択的に行うことが可能なＵＳＢアダプター、画像表示システムおよび無線通信方法を提供することにある。
【課題を解決するための手段】
【０００７】
本発明の態様の１つであるＵＳＢアダプターは、ＵＳＢ周辺装置に設けられた給電機能を有する第１のＵＳＢレセプタクルに、電力線を介して直接的または間接的に接続される第１のＵＳＢプラグと、前記ＵＳＢ周辺装置に設けられた前記給電機能を有しない第２のＵＳＢレセプタクルに、データ線を介して直接的または間接的に接続される第２のＵＳＢプラグと、前記電力線を介して前記第１のＵＳＢプラグに接続され、前記データ線を介して前記第２のＵＳＢプラグに接続され、かつ、無線通信装置の有する通信側ＵＳＢプラグに直接的または間接的に接続される第３のＵＳＢレセプタクルと、前記ＵＳＢ周辺装置から供給される電力を前記無線通信装置に供給するための前記電力線と、前記無線通信装置と前記ＵＳＢ周辺装置との間の情報転送を行うための前記データ線と、を含むことを特徴とする。
【０００８】
また、本発明の態様の１つである画像表示システムは、画像情報を受信する無線通信装置と、ＵＳＢアダプターと、当該ＵＳＢアダプターを介して前記無線通信装置からの前記画像情報に基づく画像を表示する画像表示装置と、を含む画像表示システムであって、前記ＵＳＢアダプターは、前記画像表示装置に設けられた給電機能を有する第１のＵＳＢレセプタクルに、電力線を介して直接的または間接的に接続される第１のＵＳＢプラグと、前記画像表示装置に設けられた前記給電機能を有しない第２のＵＳＢレセプタクルに、データ線を介して直接的または間接的に接続される第２のＵＳＢプラグと、前記電力線を介して前記第１のＵＳＢプラグに接続され、前記データ線を介して前記第２のＵＳＢプラグに接続され、かつ、前記無線通信装置の有する通信側ＵＳＢプラグに直接的または間接的に接続される第３のＵＳＢレセプタクルと、前記画像表示装置から供給される電力を前記無線通信装置に供給するための前記電力線と、前記無線通信装置と前記画像表示装置との間の情報転送を行うための前記データ線と、を含み、前記画像表示装置は、前記第１のＵＳＢレセプタクルと、前記第２のＵＳＢレセプタクルと、前記第２のＵＳＢレセプタクルを介して入力される前記画像情報に基づく画像を表示する画像表示部と、を含むことを特徴とする。
【０００９】
また、本発明の態様の１つである無線通信方法は、ＵＳＢホスト機能またはＵＳＢデバイス機能を有効に設定可能な複数の無線通信装置による無線通信方法であって、前記ＵＳＢデバイス機能が有効化された無線通信装置は、ＵＳＢホスト装置に接続されることにより、前記ＵＳＢホスト装置と相互に情報を伝達可能に形成され、前記ＵＳＢホスト機能が有効化された無線通信装置は、ＵＳＢアダプターを介してＵＳＢ周辺装置に接続されることにより、前記ＵＳＢアダプターが有する電力線を介して前記ＵＳＢ周辺装置からの電力が供給されるとともに、前記ＵＳＢアダプターが有するデータ線を介して前記ＵＳＢ周辺装置と相互に前記情報を伝達可能に形成され、前記ＵＳＢデバイス機能が有効化された無線通信装置および前記ＵＳＢホスト機能が有効化された無線通信装置は、無線通信を行うことにより、相互に前記情報を伝達することを特徴とする。
【００１０】
本発明によれば、ＵＳＢアダプターは、ＵＳＢ周辺装置からの電力を無線通信装置に供給することができるため、無線通信装置を用いてＵＳＢインターフェイスを介して画像情報の送受信を行って画像を表示する場合等において、充電池やＡＣ電源アダプターを用いない無線通信装置を用いることができる。また、本発明によれば、ＵＳＢホスト装置とＵＳＢデバイス装置（ＵＳＢ周辺装置）間を、一般的なＵＳＢケーブルを用いて有線接続する場合と、無線通信装置を用いて無線接続する場合とにおいて、ＵＳＢホスト装置およびＵＳＢデバイス装置の設計を変えることなく、ＵＳＢケーブルによる有線接続および無線通信装置による無線接続を選択的に行うことができる。
【００１１】
また、前記無線通信装置は、前記画像情報を受信する無線通信部と、前記通信側ＵＳＢプラグと、ＵＳＢホスト機能またはＵＳＢデバイス機能を有効に設定可能なＵＳＢ機能判別部と、を含み、前記ＵＳＢ機能判別部は、前記ＵＳＢホスト機能または前記ＵＳＢデバイス機能のどちらを有効化させるかを設定する設定データを記憶する不揮発性メモリーを有し、前記設定データを更新することにより、前記ＵＳＢホスト機能または前記ＵＳＢデバイス機能を有効化してもよい。これによれば、無線通信装置は、不揮発性メモリーに記憶された設定データを更新することにより、ＵＳＢホスト機能とＵＳＢデバイス機能とを切り替えることができる。これにより、画像表示システム等は、例えば、ＵＳＢホスト装置に接続された無線通信装置と同一のハードウェア構成を有する無線通信装置を、ＵＳＢアダプターを介して、ＵＳＢ周辺装置に接続して無線通信させることができる。
【００１２】
また、前記無線通信装置は、前記画像情報を受信する無線通信部と、前記通信側ＵＳＢプラグと、ＵＳＢホスト機能またはＵＳＢデバイス機能を有効に設定可能なＵＳＢ機能判別部と、を含み、前記ＵＳＢ機能判別部は、前記通信側ＵＳＢプラグに入力される電気信号に基づき、前記ＵＳＢホスト機能または前記ＵＳＢデバイス機能を有効化してもよい。これによれば、無線通信装置は、電気信号に基づいてＵＳＢホスト機能とＵＳＢデバイス機能とを切り替えることができる。これにより、画像表示システム等は、例えば、ＵＳＢホスト装置に接続された無線通信装置と同一のハードウェア構成を有する無線通信装置を、ＵＳＢアダプターを介して、ＵＳＢ周辺装置に接続して無線通信させることができる。
【００１３】
また、前記ＵＳＢアダプターは、前記無線通信装置と嵌合する第１の嵌合部を含み、前記無線通信装置は、前記第１の嵌合部と嵌合する第２の嵌合部と、前記画像情報を受信する無線通信部と、前記通信側ＵＳＢプラグと、ＵＳＢホスト機能またはＵＳＢデバイス機能を有効に設定可能なＵＳＢ機能判別部と、を含み、前記ＵＳＢ機能判別部は、前記第１の嵌合部と前記第２の嵌合部との嵌合状態に基づき、前記ＵＳＢホスト機能または前記ＵＳＢデバイス機能を有効化してもよい。これによれば、無線通信装置は、ＵＳＢアダプターとの嵌合状態に基づいてＵＳＢホスト機能とＵＳＢデバイス機能とを切り替えることができる。これにより、画像表示システム等は、例えば、ＵＳＢホスト装置に接続された無線通信装置と同一のハードウェア構成を有する無線通信装置を、ＵＳＢアダプターを介して、ＵＳＢ周辺装置に接続して無線通信させることができる。
【００１４】
また、前記画像表示システムは、前記画像情報を生成する画像情報生成部と、前記ＵＳＢデバイス機能が有効化された前記無線通信装置に接続される第４のＵＳＢレセプタクルとを有するＵＳＢホスト装置と、前記ＵＳＢデバイス機能が有効化された前記無線通信装置と、前記ＵＳＢホスト機能が有効化された前記無線通信装置と、前記第３のＵＳＢレセプタクルが、前記ＵＳＢホスト機能が有効化された前記無線通信装置に接続される前記ＵＳＢアダプターと、前記画像表示装置と、を含んでもよい。これによれば、画像表示システムは、各無線通信装置がＵＳＢホスト機能とＵＳＢデバイス機能とを切り替えることができるため、ハードウェア構成が同一の無線通信装置を適用して画像を表示することができる。
【００１５】
また、前記画像表示装置は、前記画像情報に基づく画像を、投写することによって表示するプロジェクターであってもよい。これによれば、例えば、ユーザーは、有線ケーブルが届かない距離に離間して設置されたＰＣとプロジェクターとを、無線通信装置を用いて無線で接続することにより、ＰＣからの画像情報を、プロジェクターに伝送して表示させることができる。
【図面の簡単な説明】
【００１６】
【図１】第１の実施例における画像の表示状況の一例を示す図である。
【図２】第１の実施例におけるＵＳＢアダプターの一例を示す斜視図である。
【図３】第１の実施例における画像表示システムを構成する各部の接続方法を示す図である。
【図４】第１の実施例における画像表示システムの機能ブロック図である。
【図５】第１の実施例におけるＵＳＢアダプターの配線の一例を示す図である。
【図６】第１の実施例におけるＰＣでの無線通信手順を示すフローチャートの一例を示す図である。
【図７】第１の実施例におけるプロジェクターでの無線通信手順を示すフローチャートの一例を示す図である。
【図８】第２の実施例におけるＵＳＢアダプターの一例を示す斜視図である。
【図９】第２の実施例における画像表示システムの機能ブロック図である。
【図１０】第３の実施例における画像表示システムを構成する各部の接続方法を示す図である。
【図１１】第３の実施例における画像表示システムの機能ブロック図である。
【発明を実施するための形態】
【００１７】
以下、本発明をプロジェクター等に接続されるＵＳＢアダプター等に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
（第１の実施例）
図１は、第１の実施例における画像の表示状況の一例を示す図である。画像表示装置の一種であるプロジェクター１００が、ＵＳＢアダプター４００を介して無線通信装置３００−１に接続され、ＰＣ２００が無線通信装置３００−２に接続されている。本実施例においては、プロジェクター１００はＵＳＢ周辺装置として機能し、ＰＣ２００はＵＳＢホスト装置として機能する。プロジェクター１００は、コンセントパネル８００のコンセントに接続されたＡＣケーブル７００を介して電力が供給される。また、ＰＣ２００は、コンセントパネル８０１のコンセントに接続されたＡＣケーブル７０１を介して電力が供給される。ＰＣ２００は、無線通信装置３００−２を用いて画像情報をプロジェクター１００へ向け送信する。プロジェクター１００は、無線通信装置３００−１を用いて当該画像情報を受信し、当該画像情報に基づき、スクリーン１０に画像２０を投写する。
【００１９】
なお、本実施例における「送信」は、画像情報を送る際に接続先から、画像情報を受け取ったことを示す応答信号を受け取る動作を含んでいるものとする。また、本実施例における「受信」は、画像情報を接続先から受け取った際に、接続先に対して画像情報を受け取ったことを示す応答信号を返す動作を含んでいるものとする。また、無線通信装置３００−１、３００−２は、ＵＳＢホスト機能またはＵＳＢデバイス機能を有効に設定可能であり、同一のハードウェア構成を有している。無線通信装置３００−１はＵＳＢホスト機能が有効化され、ＵＳＢデバイス機能が無効になっている。また、無線通信装置３００−２はＵＳＢデバイス機能が有効化され、ＵＳＢホスト機能が無効になっている。
【００２０】
ここで、ＵＳＢアダプター４００について説明する。図２は、第１の実施例におけるＵＳＢアダプター４００の一例を示す斜視図である。ＵＳＢアダプター４００は、コネクター４１０と、コネクター４２０と、コネクター４１０とコネクター４２０を相互に接続するケーブル４３０を含んで構成されている。コネクター４１０は、一端に第２のＵＳＢプラグ（Ｂ型プラグ）４１２が設けられ、他端に第３のＵＳＢレセプタクル（Ａ型レセプタクル）４１４が設けられている。また、コネクター４２０は、一端に第１のＵＳＢプラグ（Ａ型プラグ）４２２が設けられている。
【００２１】
図３は、第１の実施例における画像表示システムを構成する各部の接続方法を示す図である。プロジェクター１００は、第１のＵＳＢレセプタクル（Ａ型レセプタクル）１１０と、第２のＵＳＢレセプタクル（Ｂ型レセプタクル）１２０を含んで構成されている。ＵＳＢアダプター４００の第１のＵＳＢプラグ４２２は第１のＵＳＢレセプタクル１１０に差し込まれ、ＵＳＢアダプター４００の第２のＵＳＢプラグ４１２は第２のＵＳＢレセプタクル１２０に差し込まれる。また、ＵＳＢアダプター４００の第３のＵＳＢレセプタクル４１４には、無線通信装置３００−１における通信側ＵＳＢプラグ（Ａ型プラグ）３１０が差し込まれる。また、ＰＣ２００は、第４のＵＳＢレセプタクル（Ａ型レセプタクル）２１０を含んで構成されている。無線通信装置３００−２における通信側ＵＳＢプラグ３１０は第４のＵＳＢレセプタクル２１０に差し込まれる。
【００２２】
ＰＣ２００は、ＵＳＢホスト装置であるため、ＵＳＢデバイス装置として機能する無線通信装置３００−２に電力を供給することができる。一方、本実施例においてはＵＳＢ周辺装置であるプロジェクター１００は、ＵＳＢデバイス装置として機能するため、無線通信装置３００−１は、ＵＳＢホスト装置として機能することになる。本実施例では、プロジェクター１００が、第１のＵＳＢレセプタクル１１０、コネクター４２０、ケーブル４３０、第３のＵＳＢレセプタクル４１４を介して無線通信装置３００−１に電力を供給する。また、本実施例では、無線通信装置３００−１によって受信された画像情報が、第２のＵＳＢレセプタクル４１４、第１のＵＳＢレセプタクル４１２、第２のＵＳＢレセプタクル１２０を介してプロジェクター１００に入力される。次に、このような機能を有するＵＳＢアダプター４００等の機能ブロックについて説明する。
【００２３】
図４は、第１の実施例における画像表示システムの機能ブロック図である。ＰＣ２００は、電力供給部２７０と、画像情報生成部２４０と、ＵＳＢホスト機能を有するＵＳＢホスト制御部２５０と、第４のＵＳＢレセプタクル２１０を含んで構成されている。
【００２４】
無線通信装置３００は、通信側ＵＳＢプラグ３１０と、制御部３２０と、不揮発性メモリー３５４を有するＵＳＢ機能判別部３５０と、無線通信部３４０と、無線通信部３４０を制御する無線通信制御部３３０を含んで構成されている。制御部３２０は、ＵＳＢデバイス機能を有するＵＳＢデバイス制御部３２２と、ＵＳＢホスト機能を有するＵＳＢホスト制御部３２４を含んで構成されている。ＵＳＢ機能判別部３５０は、不揮発性メモリー３５４に記憶した設定データを更新し、ＵＳＢデバイス制御部３２２またはＵＳＢホスト制御部３２４を有効化することにより、ＵＳＢホスト機能とＵＳＢデバイス機能とを切り替える。例えば、デフォルト（初期状態）では、設定データの値が０であり、無線通信装置３００は、ＵＳＢデバイス制御部３２２が有効化され、ＵＳＢデバイス装置として動作し、設定データの値を１に更新することにより、ＵＳＢホスト制御部３２４が有効化され、ＵＳＢホスト装置として動作する。
【００２５】
プロジェクター１００は、第１のＵＳＢレセプタクル１１０と、ＵＳＢホスト機能を有するＵＳＢホスト制御部１５０と、電力供給部１７０と、第２のＵＳＢレセプタクル１２０と、ＵＳＢデバイス機能を有するＵＳＢデバイス制御部１６０と、画像表示部の一種である投写部１９０を含んで構成されている。また、ＵＳＢアダプター４００は、第１のＵＳＢプラグ４２２と、第３のＵＳＢレセプタクル４１４と、第２のＵＳＢプラグ４１２を含んで構成されている。ここで、ＵＳＢアダプター４００の内部の配線について説明する。
【００２６】
図５は、第１の実施例におけるＵＳＢアダプター４００の配線の一例を示す図である。例えば、「Ｄ−（差動信号／負）」および「Ｄ＋（差動信号／正）」の２本の信号線を用いて通信を行うＵＳＢ規格に準じたコネクターの場合、１番ピンが「ＰＯＷＥＲ（ＶＢＵＳ）」であり、２番ピンが「Ｄ−（差動信号／負）」であり、３番ピンが「Ｄ＋（差動信号／正）」であり、４番ピンが「ＧＮＤ（信号ゼロ電位）」である。プロジェクター１００の第１のＵＳＢレセプタクル１１０に接続される第１のＵＳＢプラグ４２２の１番ピン（ＰＯＷＥＲ）が、電力線４５０を介して無線通信装置３００−１における通信側ＵＳＢプラグ３１０に接続される第３のＵＳＢレセプタクル４１４の１番ピン（ＰＯＷＥＲ）に接続されている。また、プロジェクター１００の第２のＵＳＢレセプタクル１２０に接続される第２のＵＳＢプラグ４１２の２番ピン（Ｄ−）が、データ線４４０を介して無線通信装置３００−１における通信側ＵＳＢプラグ３１０に接続される第３のＵＳＢレセプタクル４１４の２番ピン（Ｄ−）に接続されている。また、プロジェクター１００の第２のＵＳＢレセプタクル１２０に接続される第２のＵＳＢプラグ４１２の３番ピン（Ｄ＋）が、データ線４４１を介して無線通信装置３００−１における通信側ＵＳＢプラグ３１０に接続される第３のＵＳＢレセプタクル４１４の３番ピン（Ｄ＋）に接続されている。また、第２のＵＳＢプラグ４１２、第３のＵＳＢレセプタクル４１４、第１のＵＳＢプラグ４２２の４番ピン（ＧＮＤ）は相互に接続され、ノイズの影響を軽減するためのシールドも相互に接続されている。
【００２７】
なお、本実施例は「Ｄ−（差動信号／負）」および「Ｄ＋（差動信号／正）」の２本の信号線を用いて通信を行うＵＳＢ規格への適用を想定したものであるが、将来のＵＳＢ規格等、上記２本の信号線以外の信号線を用いるＵＳＢ規格に対しても同様に本実施例を適用可能である。また、第２のＵＳＢプラグ４１２等は通常サイズのＵＳＢプラグであるが、ミニプラグであってもよく、ＵＳＢレセプタクルはミニプラグに対応したものであってもよい。
【００２８】
また、プロジェクター１００等は、以下のハードウェアを用いてこれらの各部として機能してもよい。例えば、画像情報生成部２４０はＣＰＵ、画像処理回路等、ＵＳＢホスト制御部１５０、２５０、３２４、無線通信制御部３３０、ＵＳＢデバイス制御部１６０、３２２、ＵＳＢ機能判別部３５０はＵＳＢコントローラー等、無線通信部３４０は無線ＬＡＮ、ワイヤレスＵＳＢ等の規格に準拠した無線通信ユニット等、投写部１９０はランプ、液晶パネル、液晶駆動回路、レンズ等を用いてもよい。
【００２９】
次に、本実施例における無線通信手順について説明する。図６は、第１の実施例におけるＰＣ２００での無線通信手順を示すフローチャートの一例を示す図である。また、図７は、第１の実施例におけるプロジェクター１００での無線通信手順を示すフローチャートの一例を示す図である。事前準備として、無線通信装置３００の製造者等は、無線通信装置３００−１をＰＣ２００等に差し込み、無線通信装置３００−１に記憶された設定データの値を１に更新することにより、無線通信装置３００−１をＵＳＢホスト装置として機能するように設定しておく。なお、上述したように、無線通信装置３００に記憶された設定データのデフォルト値は０であり、無線通信装置３００は、初期動作時にＵＳＢデバイス装置として動作する。また、プレゼンター等は、図３に示す接続状態になるように、無線通信装置３００−１を、ＵＳＢアダプター４００を介してプロジェクター１００に接続し、無線通信装置３００−２をＰＣ２００に接続しておく。
【００３０】
ＰＣ２００のＵＳＢホスト制御部２５０は、起動時等に、第４のＵＳＢレセプタクル２１０、無線通信装置３００−２の有する通信側ＵＳＢプラグ３１０を介して、無線通信装置３００−２に電力供給部２７０からの電力を供給する（ステップＳ１）。また、ＵＳＢホスト制御部２５０は、無線通信によってプロジェクター１００の認証等を行い、画像の投写指示時に、画像情報生成部２４０が生成した画像情報を、第４のＵＳＢレセプタクル２１０、無線通信装置３００−２の有する通信側ＵＳＢプラグ３１０を介して、無線通信装置３００−２を用いて、プロジェクター１００へ向け送信する（ステップＳ２）。
【００３１】
一方、プロジェクター１００は、起動時等に、第１のＵＳＢレセプタクル１１０、第１のＵＳＢプラグ４２２、第３のＵＳＢレセプタクル４１４、無線通信装置３００−１の有する通信側ＵＳＢプラグ３１０を介して、無線通信装置３００−１に電力供給部１７０からの電力を供給する（ステップＰ１）。また、プロジェクター１００は、画像の投写指示時に、無線通信装置３００−１の有する通信側ＵＳＢプラグ３１０、第３のＵＳＢレセプタクル４１４、第２のＵＳＢプラグ４１２、第２のＵＳＢレセプタクル１２０を介して、無線通信装置３００−１を用いて、ＰＣ２００からの画像情報を受信する（ステップＰ２）。投写部１９０は、ＵＳＢデバイス制御部１６０によって転送された画像情報に基づき、画像２０をスクリーン１０に投写する（ステップＰ３）。
【００３２】
以上のように、本実施例によれば、ＵＳＢアダプター４００は、プロジェクター１００からの電力を、電力線４５０を介して無線通信装置３００−１に供給することができるため、無線通信装置３００−１等を用いてＵＳＢインターフェイスを介して画像情報の送受信を行って画像を表示する場合等において、充電池やＡＣ電源アダプターを用いない無線通信装置３００を用いることができる。これにより、製造者等は、無線通信装置３００を小型化し、より低コストで製造することができる上、同一の無線通信装置として法認可手続を受けることができるため、設計や法認可手続にかかるコストを抑制することができる。さらに、充電等の手間もかからないため、ユーザーは、より短時間でプレゼンテーション等を開始することができる上、プロジェクター１００を長期間運用する場合もケーブル等の頻繁な取り外し等による不便さを感じることなく、運用することができる。
【００３３】
また、本実施例によれば、無線通信装置３００は、不揮発性メモリー３５４に記憶された設定データを更新することにより、ＵＳＢホスト機能とＵＳＢデバイス機能とを切り替えることができる。これにより、画像表示システムは、ＵＳＢホスト装置に接続される無線通信装置３００−２と同一のハードウェア構成を有する無線通信装置３００−１を、ＵＳＢデバイス装置に接続して無線通信させることができる。
【００３４】
また、本実施例によれば、画像表示システムは、有線接続ではなく、無線接続で画像情報を送受信することができる。これにより、ユーザーは、ＵＳＢホスト装置と離れて配置されるプロジェクター１００を用いる場合であっても、ケーブル長の制約を感じることなく、無線通信を行わせて画像を投写させることができる。なお、プロジェクター１００のＵＳＢインターフェイスとして既存のインターフェイスを用いることができるため、ユーザーは、使用状況に合わせて無線接続または有線接続を選択して使用することができる。
【００３５】
（第２の実施例）
ＵＳＢアダプター４００が用いられることにより、プロジェクター１００の給電可能なＵＳＢレセプタクルが他の用途に使用できなくなるため、プロジェクター１００の給電能力が十分にある場合、給電可能なＵＳＢレセプタクルを有するＵＳＢアダプターが適用されてもよい。また、各無線通信装置におけるＵＳＢホスト機能とＵＳＢデバイス機能の切り替えは、各無線通信装置に入力される電気信号に基づいて行われてもよい。
【００３６】
図８は、第２の実施例におけるＵＳＢアダプター４０１の一例を示す斜視図である。ＵＳＢアダプター４０１のコネクター４２１は、一端に第１のＵＳＢプラグ（Ａ型プラグ）４２２が設けられ、他端に第５のＵＳＢレセプタクル（Ａ型レセプタクル）４２４が設けられている。
【００３７】
図９は、第２の実施例における画像表示システムの機能ブロック図である。図９に示すように、第１のＵＳＢプラグ４２２が第１のＵＳＢレセプタクル１１０に差し込まれ、第２のＵＳＢプラグ４１２が第２のＵＳＢレセプタクル１２０に差し込まれ、第３のＵＳＢレセプタクル４１４に通信側ＵＳＢプラグ３１０が差し込まれた状態であっても、第５のＵＳＢレセプタクル４２４は空いた状態になる。これにより、第５のＵＳＢレセプタクル４２４には、他のＵＳＢデバイス装置のＵＳＢプラグを差し込んで使用することができる。例えば、第１のＵＳＢプラグ４２２がプロジェクター１００の第１のＵＳＢレセプタクル１１０に接続された状態で、画像データが記録されたＵＳＢフラッシュメモリーを第５のＵＳＢレセプタクル４２４に接続してもよい。プロジェクター１００に内蔵されるＵＳＢホスト制御部１５０は、第５のＵＳＢレセプタクル４２４に接続されたＵＳＢフラッシュメモリーをストレージ装置として認識する。したがって、プロジェクター１００は、ＵＳＢデバイス装置として、ＰＣ２００から送信された画像情報に基づく画像を投写するだけでなく、プロジェクター１００にＵＳＢアダプター４０１が装着された状態で、第５のＵＳＢレセプタクル４２４に接続されたＵＳＢフラッシュメモリーから読み出した画像情報に基づく画像を投写することができる。すなわち、ユーザーは、無線通信装置３０１−１に電力を供給するために、プロジェクター１００の第１のＵＳＢレセプタクル１１０に接続されたコネクター４２１を取り外すことなく、上述したＵＳＢフラッシュメモリーをプロジェクター１００に接続することができる。
【００３８】
また、無線通信装置３０１の有するＵＳＢ機能判別部３５１は、通信側ＵＳＢプラグ３１０に入力される電気信号を検出する電気信号検出部３５８を含んで構成されている。ＵＳＢ機能判別部３５１は、電気信号検出部３５８によって検出された電気信号に基づき、ＵＳＢホスト機能とＵＳＢデバイス機能とを切り替える。より具体的には、例えば、ＵＳＢ機能判別部３５１は、無線通信装置３０１を、初期動作時にＵＳＢホスト装置として起動させ、電気信号検出部３５８が、データ線４４０、４４１のいずれかがＨｉｇｈにプルアップされたことを検出すれば、そのままＵＳＢホスト装置として動作させ、Ｈｉｇｈにプルアップされたことを検出しなければ、無線通信装置３０１がＵＳＢホスト装置に接続されたと判別し、ＵＳＢデバイス制御部３２２を有効化し、ＵＳＢホスト制御部３２４を無効化することにより、ＵＳＢデバイス装置として動作させてもよい。
【００３９】
以上のように、本実施例によっても、ＵＳＢアダプター４０１等は、第１の実施例と同様の作用効果を奏する。また、本実施例によれば、無線通信装置３０１は、動作時に自動的に機能を決定することができるため、第１の実施例と比べ、事前の準備の手間を軽減することができる。また、本実施例によれば、ＵＳＢアダプター４０１は、他のＵＳＢデバイス装置を接続して給電することができる。
【００４０】
（第３の実施例）
各無線通信装置におけるＵＳＢホスト機能とＵＳＢデバイス機能の切り替えは、無線通信装置とＵＳＢアダプターとの嵌合状態に基づいて行われてもよい。図１０は、第３の実施例における画像表示システムを構成する各部の接続方法を示す図である。図１０に示すように、無線通信装置３０２−１には通信側ＵＳＢプラグ３１０の付近に嵌合部の一種である凹部（第２の嵌合部）３９０が設けられており、無線通信装置３０２−２にも無線通信装置３０２−１と同じ位置に凹部３９０が設けられている。ＵＳＢアダプター４０２のコネクター４１１には、第３のＵＳＢレセプタクル４１４の付近に嵌合部の一種である凸部（第１の嵌合部）４９０が設けられている。ＵＳＢアダプター４０２と無線通信装置３０２−１または無線通信装置３０２−２が接続される際に、凸部４９０が凹部３９０に噛み合って接触するように、凸部４９０は、コネクター４１１から突出した状態で設けられている。なお、ＰＣ２００に設けられた第４のＵＳＢレセプタクル２１０の近傍には凹部３９０に嵌合する凸部は設けられていない。
【００４１】
図１１は、第３の実施例における画像表示システムの機能ブロック図である。無線通信装置３０２の有するＵＳＢ機能判別部３５２は、凸部４９０と凹部３９０の嵌合によるスイッチ（不図示）のオンまたはオフの状態（嵌合状態）を検出する嵌合検出部３５６を含んで構成されている。ＵＳＢ機能判別部３５２は、凸部４９０と凹部３９０が嵌合することによってスイッチがオンになったことを嵌合検出部３５６が検出した場合、ＵＳＢデバイス制御部３２２を有効化することにより、無線通信装置３０２をＵＳＢデバイス装置として動作させ、当該検出が行われなかった場合、すなわち、ＵＳＢアダプター４０１を介さずに無線通信装置３０２がＵＳＢ機器（例えば、ＰＣ２００等）に接続された場合、ＵＳＢホスト制御部３２４を有効化することにより、無線通信装置３０２をＵＳＢホスト装置として動作させる。
【００４２】
以上のように、本実施例によっても、ＵＳＢアダプター４０２等は、第１および第２の実施例と同様の作用効果を奏する。特に、本実施例によれば、ＵＳＢアダプター４０２は、電気信号等ではなく、嵌合状態に基づく判定を行うことにより、ノイズ等の影響を受けにくく、より正確な判定を行うことができる。
【００４３】
（その他の実施例）
なお、本発明の適用は上述した実施例に限定されず、変形が可能である。例えば、上述した実施例の構成を組み合わせてもよい。また、ＵＳＢアダプター４００〜４０２の形状は上述した形状に限定されない。例えば、ケーブル４３０は必須ではなく、コネクター４１０、４１１とコネクター４２０、コネクター４２１が直接接続されてもよい。また、ＵＳＢアダプター４００〜４０２は、上述した実施例のように、直接的にプロジェクター１００等に接続される形態に限定されず、間接的に（例えば、ＵＳＢケーブル、コネクター等を介してプロジェクター１００等に接続される形態等）プロジェクター１００等に接続される形態であってもよい。
【００４４】
また、ＵＳＢホスト装置は、ＰＣ２００に限定されず、例えば、プロジェクター、ＤＶＤプレーヤー、携帯情報端末、ゲーム装置等であってもよい。また、ＵＳＢデバイス装置は、プロジェクター１００に限定されず、例えば、書画カメラ、液晶モニター、ヘッドマウントディスプレイ、デジタルカメラ、デジタルビデオカメラ、携帯情報端末等であってもよい。また、画像表示装置は、プロジェクター１００に限定されず、例えば、液晶モニター、ヘッドマウントディスプレイ等であってもよい。また、画像表示システムの構成は、上述した実施例の構成に限定されず、例えば、無線通信装置３００−１、ＵＳＢアダプター４００、プロジェクター１００によって画像表示システムが構成されてもよい。また、無線通信装置３００〜３０２によって相互に伝達される情報は、画像情報に限定されず、例えば、音声情報、制御情報等であってもよい。また、上述した実施例では、ＵＳＢホスト装置からＵＳＢデバイス装置に画像情報が送信されているが、情報の送信方向は逆でもよい。例えば、ＵＳＢデバイス装置である書画カメラ等からの画像情報が、ＵＳＢホスト装置であるプロジェクター等に無線で送信されてもよい。
【００４５】
また、無線通信装置３００〜３０２は、同時に３つ以上使用されてもよい。すなわち、無線通信装置３００〜３０２の通信形態は、１対１に限定されず、１対多であってもよい。また、無線通信装置におけるＵＳＢホスト機能を有効化させるか、ＵＳＢデバイス機能を有効化させるかを判別する方法は上述した実施例の方法に限定されない。例えば、ＵＳＢ機能判別部は、嵌合以外の物理的接触（例えば、第３のＵＳＢレセプタクル４１４付近に設けられた進退可能な突起部との接触等）を検出したり、ＵＳＢアダプター４００から発せられる電波や光等を検出したりすることによって上述した判別を行ってもよい。また、プロジェクター１００およびＰＣ２００の構成は上述した実施例の構成に限定されず、例えば、ＡＣケーブル７００、７０１からの電力ではなく、電池、充電池等からの電力が供給されてもよい。
【００４６】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター等）に分散してもよい。
【符号の説明】
【００４７】
１０  スクリーン、２０  画像、１００  プロジェクター（ＵＳＢ周辺装置、画像表示装置）、１１０  第１のＵＳＢレセプタクル、１２０  第２のＵＳＢレセプタクル、２１０  第４のＵＳＢレセプタクル、１５０、２５０、３２４  ＵＳＢホスト制御部、１６０、３２２  ＵＳＢデバイス制御部、１７０、２７０  電力供給部、１９０  投写部（画像表示部）、２００  ＰＣ（ＵＳＢホスト装置）、２４０  画像情報生成部、３００〜３０２  無線通信装置、３１０  通信側ＵＳＢプラグ、３２０  制御部、３３０  無線通信制御部、３４０  無線通信部、３５０〜３５２  ＵＳＢ機能判別部、３５４  不揮発性メモリー、３５６  嵌合検出部、３５８  電気信号検出部、３９０  凹部（第２の嵌合部）、４００〜４０２  ＵＳＢアダプター、４１０、４１１、４２０  コネクター、４１２  第２のＵＳＢプラグ、４１４  第３のＵＳＢレセプタクル、４２２  第１のＵＳＢプラグ、４２４  第５のＵＳＢレセプタクル、４３０  ケーブル、４４０、４４１  データ線、４５０  電力線、４９０  凸部（第１の嵌合部）、７００、７０１  ＡＣケーブル、８００、８０１  コンセントパネル
【図１】
0005556437.tif 000002
【図２】
0005556437.tif 000003
【図３】
0005556437.tif 000004
【図４】
0005556437.tif 000005
【図５】
0005556437.tif 000006
【図６】
0005556437.tif 000007
【図７】
0005556437.tif 000008
【図８】
0005556437.tif 000009
【図９】
0005556437.tif 000010
【図１０】
0005556437.tif 000011
【図１１】
0005556437.tif 000012